(57)【要約】【課題】空調機外へ振動や騒音が伝わるのを防止する。【解決手段】  機体内に圧縮式のヒートポンプ６を備える。ヒートポンプ６の空気熱交換器９を、横方向への動きを規制する部材５にて保持する。ヒートポンプ６の圧縮機１０を第一の防振材１を介して支持部材３に取付けかつ支持部材３にヒートポンプ６の残りの構成部品を取付けると共にこれらの構成部品のうちですくなくとも圧縮機１０を防音箱１１にて密閉状に囲う。機体内に第二の防振材２を介して支持部材３を載置する。【選択図】図１
2005241197.tif 000002
【特許請求の範囲】
【請求項１】
機体４内に圧縮式のヒートポンプ６を備え、このヒートポンプ６の空気熱交換器９を、横方向への動きを規制する部材５にて保持し、前記ヒートポンプ６の圧縮機１０を第一の防振材１を介して支持部材３に取付けかつこの支持部材３に前記ヒートポンプ６の残りの構成部品を取付けると共にこれらの構成部品のうちですくなくとも前記圧縮機１０を防音箱１１にて密閉状に囲い、前記機体４内に第二の防振材２を介して前記支持部材３を載置したことを特徴とするヒートポンプ式空調機。
【請求項２】
機体４内に圧縮式のヒートポンプ６を備え、このヒートポンプ６の圧縮機１０を第一の防振材１を介して支持部材３に取付けかつこの支持部材３に前記ヒートポンプ６の残りの構成部品を取付けると共にこれらの構成部品のうちですくなくとも前記圧縮機１０を防音箱１１にて密閉状に囲い、前記機体４内に第二の防振材２を介して前記支持部材３を載置したことを特徴とするヒートポンプ式空調機。
【発明の詳細な説明】
【技術分野】
【０００１】
本発明は、ヒートポンプ式空調機に関するものである。
【背景技術】
【０００２】
室内機と室外機を一体にしたヒートポンプ式空調機では、循環冷媒で空調用空気の熱交換をする空気熱交換器や圧縮機などで構成されるヒートポンプを、同一機体内に備えている。
【０００３】
この圧縮機は振動防止のために防振材を介して機体内に固定しているが、機体に振動が伝わりやすく機体と共振したり共振音が出る場合がある。また、室内など静粛な場所で使用する場合、圧縮機の騒音が機体外に伝わらないようにする必要がある。
【０００４】
【特許文献１】特開平９−３３０７０号公報
【発明の開示】
【発明が解決しようとする課題】
【０００５】
解決しようとする問題点は、空調機の振動や騒音を防止し難い点である。
【課題を解決するための手段】
【０００６】
本発明は、上記課題を解決するため、機体内に圧縮式のヒートポンプを備え、このヒートポンプの空気熱交換器を、横方向への動きを規制する部材にて保持し、前記ヒートポンプの圧縮機を第一の防振材を介して支持部材に取付けかつこの支持部材に前記ヒートポンプの残りの構成部品を取付けると共にこれらの構成部品のうちですくなくとも前記圧縮機を防音箱にて密閉状に囲い、前記機体内に第二の防振材を介して前記支持部材を載置した。また、機体内に圧縮式のヒートポンプを備え、このヒートポンプの圧縮機を第一の防振材を介して支持部材に取付けかつこの支持部材に前記ヒートポンプの残りの構成部品を取付けると共にこれらの構成部品のうちですくなくとも前記圧縮機を防音箱にて密閉状に囲い、前記機体内に第二の防振材を介して前記支持部材を載置したことを最も主要な特徴とする。
【発明の効果】
【０００７】
請求項１の発明によれば、圧縮機の振動を第一の防振材にて減少させ、さらに圧縮機を含めたヒートポンプの構成部品を第二の防振材に載置しかつ空気熱交換器を固定せずに保持して振動伝達経路を分断しているので機体の振動、共振及び共振音を防止でき、しかも防音箱にて圧縮機の騒音を遮音できるので、静粛な運転が行える。
請求項２の発明によれば、圧縮機の振動を第一の防振材にて減少させ、さらに圧縮機を含めたヒートポンプの構成部品を第二の防振材に載置して振動伝達経路を分断しているので機体の振動、共振及び共振音を防止でき、しかも防音箱にて圧縮機の騒音を遮音できるので、静粛な運転が行える。
【実施例】
【０００８】
図１〜図３は、本発明のヒートポンプ式空調機の一実施例を示しており、このヒートポンプ式空調機は、中空状の機体４内に、圧縮式のヒートポンプ６と、空調用空気を被空調空間へ給気する送風機７と、を備えている。ヒートポンプ６は、熱源水で循環冷媒の熱交換をする水熱交換器８と、循環冷媒で空調用空気の熱交換をする空気熱交換器９と、圧縮機１０と、図示省略の膨張弁、冷媒循環方向の正逆の切換弁（四方弁）、受液器等を備え、これらを例えば仮想線の如く配管接続して冷媒循環回路を構成しかつ切換弁により水熱交換器８と空気熱交換器９の吸熱と放熱（蒸発機能と凝縮機能）を切換自在に構成する。このヒートポンプ６の空気熱交換器９にて空調用空気を冷却又は加熱し、冷房と暖房を行う。白抜きの実線と点線の矢印は気流方向を示す。
【０００９】
ヒートポンプ６の空気熱交換器９は、横方向への動きを規制する部材５にて保持し、ヒートポンプ６の圧縮機１０を第一の防振材１を介して支持部材３に取付けかつこの支持部材３にヒートポンプ６の残りの構成部品を取付けると共にこれらの構成部品のうちですくなくとも圧縮機１０を防音箱１１にて密閉状に囲い、機体４内に第二の防振材２を介して支持部材３を載置する。支持部材３は第二の防振材２に固定せずに載置するのが好ましいが、ストッパなどで所定量だけ移動可能に構成して載置するも自由である。
【００１０】
たとえば、部材５は空気熱交換器９の左右端部に嵌合する板材などにて構成して機体４内に取付け、空気熱交換器９をぐらつかなようにガイドして保持し、部材５と空気熱交換器９は防振材などを介して接触乃至当接させる。支持部材３は図例のように複数の部材にて構成又は一つの部材にて構成するも自由であるが、支持部材３をドレンパンで兼用して部品点数を減らすのもよい。また、第二の防振材２は機体４内に図例のように他部材を介して取付け又は機体４内に直接取付けるも自由である。防振材としては防振ゴムやスプリングなど各種のものに変更自由である。また、機体４は天井設置用や床設置用など各種形状のものに変更自由である。
【００１１】
図４は、前記実施例において水熱交換器８を空冷にした場合の実施例を示しており、このヒートポンプ式空調機のヒートポンプ６は、外気や還気などの熱交換用空気で循環冷媒の熱交換をする空気−冷媒熱交換器１２と、循環冷媒で空調用空気の熱交換をする空気熱交換器９と、圧縮機１０と、図示省略の膨張弁、冷媒循環方向の正逆の切換弁（四方弁）、受液器等を備え、これらを例えば仮想線の如く配管接続して冷媒循環回路を構成しかつ切換弁により空気−冷媒熱交換器１２と空気熱交換器９の吸熱と放熱（蒸発機能と凝縮機能）を切換自在に構成する。このヒートポンプ６の空気熱交換器９にて空調用空気を冷却又は加熱し、冷房と暖房あるいは外気処理を行う。
【００１２】
ヒートポンプ６の圧縮機１０は第一の防振材１を介して支持部材３に取付けかつこの支持部材３にヒートポンプ６の残りの構成部品を取付けると共にこれらの構成部品のうちですくなくとも圧縮機１０を防音箱１１にて密閉状に囲い、機体４内に第二の防振材２を介して支持部材３を載置する。その他の構成および構成の変更は前記実施例と同様であるので説明は省略する。
【図面の簡単な説明】
【００１３】
【図１】本発明の一実施例を示す要部斜視図。
【図２】要部の断面図。
【図３】ヒートポンプ式空調機の平面図。
【図４】他の実施例を示す要部斜視図。
【符号の説明】
【００１４】
１      防振材
２      防振材
３      支持部材
４      機体
６      ヒートポンプ
９      空気熱交換器
１０    圧縮機
１１    防音箱
【図１】
2005241197.tif 000003
【図２】
2005241197.tif 000004
【図３】
2005241197.tif 000005
【図４】
2005241197.tif 000006